(57)【要約】  本発明により、アキュムレータに２段階式に固定されるように構成されているか、又はアキュムレータの一部であり、保持装置からの取外しが安全に行われる保持要素が請求される。さらに、保持要素に整列された保持装置並びに保持要素と保持装置とからなる保持機構が請求される。このような保持装置は、特に電動自転車のために使用されるので、さらに自転車フレームが請求され、自転車フレームのために使用されるいずれか１つのチューブの内部にこの保持装置が固定されている。
2019530132.tif 000002
【特許請求の範囲】
【請求項１】
アキュムレータ（１００）に固定するための保持要素（１０５）であって、
前記アキュムレータ（１００）に固定するための少なくとも１つの固定手段（１９０，１９５）を備える第１の側と、
第１の側に向かい合った第２の側とを備え、第２の側が、
第１保持装置（１１０）のロック（１３０）が係合するための第１ストッパ（１７０）、及び
遮断要素（１５０，１５５）を備え、
前記遮断要素（１５０，１５５）が、
第２の側から延びているフックであって、前記第１保持装置（１１０）の第２ストッパ（１８０，１８５）に係合するためのフックを備え、
第２の側に向かって鉛直方向にばね作用を有する、保持要素（１０５）。
【請求項２】
請求項１に記載の保持要素（１０５）において、
前記遮断要素（１５０）が第２の側の縁部に取り付けられており、第２の側の中央に向かって板ばねとして構成されている、保持要素（１０５）。
【請求項３】
請求項１に記載の保持要素（１０５）において、
前記遮断要素（１５０，１５５）が、第２の側の縁部に取り付けられた第１ばね要素（１６０，１６５）を備える、保持要素（１０５）。
【請求項４】
請求項１から３までのいずれか一項に記載の保持要素（１０５）において、
前記固定手段（１９０，１９５）が、
特に少なくとも部分的に周回するねじ山（１９５）及び／又は
中央に配置された凸部もしくは凹部（１９０）を備える、保持装置（１０５）。
【請求項５】
請求項１から４までのいずれか一項に記載の保持要素（１０５）を備えるアキュムレータにおいて、
前記保持要素（１０５）が、前記固定手段（１９０，１９５）によって前記アキュムレータ（１００）に結合されており、前記保持要素（１０５）が、前記アキュムレータ（１００）から延びている第２の側に、
前記第１保持装置（１１０）の前記ロック（１３０）が係合するための第１ストッパ（１７０）、及び
前記遮断要素（１５０，１５５）を備え、
該遮断要素（１５０，１５５）が、
第２の側から延びているフックであって、前記第１保持装置（１１０）の第２ストッパ（１８０，１８５）に係合するためのフックを備え、
第２の側に向かって鉛直方向にばね作用を有することを特徴とする、アキュムレータ。
【請求項６】
請求項１から４までのいずれか一項に記載の保持要素（１０５）を保持するか、もしくは請求項５に記載のアキュムレータ（１００）を少なくとも鉛直方向（２０）に保持するための保持装置（１１０）であって、該保持装置（１１０）が、
前記保持要素（１０５）の第２の側に向けられた水平方向の運動成分によって変位可能なロック（１３０，１４０）を備え、該ロック（１３０，１４０）が、前記保持要素（１０５）が保持装置（１１０）に挿入されている場合に、
ロックされた位置（１３０）で、前記保持要素（１０５）及び／又は保持要素（１０５）に結合された前記アキュムレータ（１００）の鉛直方向の移動が防止されるように前記保持要素（１０５）の第１ストッパ（１７０）への係合を行うために適しており、
ロック解除された位置（１４０）で、前記保持要素（１０５）及び／又は保持要素（１０５）に結合されたア前記キュムレータ（１００）の鉛直方向の移動が許可され、
前記保持要素（１０５）の前記遮断要素（１５０，１５５）が係合するための第２ストッパ（１８０，１８５）を備え、前記保持要素（１０５）及び／又は保持要素（１０５）に結合された前記アキュムレータ（１００）の移動が、ロックがロック解除された位置（１４０）で鉛直方向に第２ストッパ（１８０，１８５）で終了する、保持要素。
【請求項７】
請求項６に記載の保持要素（１１０）において、
前記ロック（１４０）がロック解除された位置で、前記保持要素（１０５）及び／又は保持要素（１０５）に結合された前記アキュムレータ（１００）を少なくとも局所的に前記保持要素（１０５）の範囲で鉛直方向に持ち上げるように構成されている、保持装置（１１０）。
【請求項８】
請求項６に記載の保持装置（１１０）において、
前記保持装置（１１０）が第２ばね要素を備え、該第２ばね要素が、アキュムレータが前記ロック（１３０）によって保持部にロックされた場合に締め付けられ、
第２ばね要素が、前記ロック（１４０）がロック解除された位置で弛緩され、前記保持要素（１０５）及び／又は保持要素（１０５）に結合された前記アキュムレータ（１００）を少なくとも局所的に保持要素（１０５）の範囲で鉛直方向に持ち上げ、
特に第２ばね要素が前記保持装置（１１０）の下部に配置されている、保持装置（１１０）。
【請求項９】
請求項７又は８に記載の保持装置（１１０）において、
持ち上げる行程が、前記遮断要素（１５０，１５５）が少なくとも部分的に前記保持要素（１１０）の上縁部を超えて持ち上げられる程度に大きい、保持装置（１１０）。
【請求項１０】
請求項６から９までのいずれか一項に記載の保持装置（１１０）において、
前記保持装置（１１０）が、前記保持要素（１０５）及び／又は保持要素（１０５）に結合された前記アキュムレータ（１００）がロックされた位置（１３０）に挿入されていることを検出する電気接点（２３０）を備え、特に、電気接点（２３０）が、保持装置（１１０）の下部に配置されており、前記保持要素（１０５）及び／又は前記アキュムレータ（１００）の機械的な載置を検出するように構成されている、保持装置（１１０）。
【請求項１１】
請求項６から１０までのいずれか一項に記載の保持装置（１１０）において、
前記ロック（１３０，１４０）が回動可能に支承されている、保持装置（１１０）。
【請求項１２】
請求項６から１１までのいずれか一項に記載の保持装置（１１０）において、
前記ロック（１３０）が錠（１２０）に機械的に結合されている、保持装置（１１０）。
【請求項１３】
請求項７から１２までのいずれか一項に記載の保持装置（１１０）と請求項１から５までのいずれか一項に記載のアキュムレータ（１００）に固定するための保持要素（１０５）とからなる保持機構において、
前記保持装置（１１０）が、
前記保持要素（１０５）の第２の側に向けられた水平方向の運動成分によって変位可能なロック（１３０，１４０）を備え、該ロック（１３０，１４０）が、保持要素（１０５）が保持装置（１１０）に挿入されている場合に、
ロックされた位置（１３０）で、前記保持要素（１０５）及び／又は保持要素（１０５）に結合された前記アキュムレータ（１００）の鉛直方向の移動が防止されるように、前記保持要素（１０５）の第１ストッパ（１７０）への係合を行うために適しており、
ロック解除された位置（１４０）で、前記保持要素（１０５）及び／又は保持要素（１０５）に結合された前記アキュムレータ（１００）の鉛直方向の移動が許可され、
前記保持装置（１１０）が、前記保持要素（１０５）の前記遮断要素（１５０，１５５）が係合するための第２ストッパ（１８０，１８５）を備え、前記保持要素（１０５）及び／又は保持要素（１０５）に結合された前記アキュムレータ（１００）の移動が、ロックがロック解除された位置（１４０）で鉛直方向に第２ストッパ（１８０，１８５）で終了し、
前記保持要素（１０５）が、
前記アキュムレータ（１００）に固定するための少なくとも１つの固定手段（１９０，１９５）を備え、
第１の側に向かい合った第２の側を備え、第２の側が、
前記第１保持装置（１１０）のロック（１３０）に係合するための第１ストッパ（１７０）及び
前記遮断要素（１５０，１５５）を備え、
該遮断要素（１５０，１５５）が、
第２の側から延びているフックであって、前記第１保持装置（１１０）の第２ストッパ（１８０，１８５）に係合するためのフックを備え、
第２の側に対して鉛直方向のばね作用を有する、保持装置。
【請求項１４】
請求項１３に記載の保持機構において、
ロック解除された位置（１４０）のばね弾性的な遮断要素を押し込むことにより、前記保持要素（１１０）及び／又は前記保持要素（１１０）に結合されたアキュムレータ（１００）を取り外すことができる、保持機構。
【請求項１５】
請求項６から１１までのいずれか一項に記載の保持装置（１１０）を備える自転車フレームにおいて、
前記保持装置（１１０）が自転車フレームのいずれか１つのチューブの内部に固定されており、特に、前記保持装置（１１０）が解除可能に固定されている、自転車フレーム。
【請求項１６】
請求項１４に記載の自転車フレームにおいて、
自転車フレームのいずれか１つのチューブに切欠きが設けられており、該切欠きによって、アキュムレータ（１００）を少なくとも部分的にチューブの内部に挿入することができ、保持装置（１１０）がチューブの内部で切欠きの端部に取り付けられている、自転車フレーム。
【請求項１７】
請求項１５又は１６に記載の自転車フレームにおいて、
前記自転車フレームのチューブがトップチューブ又はダウンチューブであり、特に切欠きが下方へ車道の方に向けられている、自転車フレーム。
【発明の詳細な説明】
【技術分野】
【０００１】
本発明は、アキュムレータに固定され、保持装置からの安全な取外しを確保する保持要素、この保持要素に適合された保持装置、保持要素と保持装置とからなる保持機構、及び少なくとも保持装置が内部に配置された自転車フレームに関する。
【背景技術】
【０００２】
電動自転車の使用時には、できるだけ運転者の可動性を制限することなしに、付属のエネルギー蓄積器、例えばアキュムレータを自転車に格納することが不可欠である。一般に、エネルギー蓄積器は、ダウンチューブ及びシートチューブ、場合によってはさらにトップチューブからなる自転車フレームに固定される。この場合、まさにシートチューブでは、エネルギー蓄積器を三角フレーム内に、又はシートチューブと後輪との間、例えば後部の三角フレーム内に取り付けることが可能である。後者では、多くの場合に容量の大きいエネルギー蓄積器のために十分なスペースを確保するために、必要に応じてペダルクランクと後輪車軸との間隔が拡大される。エネルギー蓄積器を格納する別の可能性は、エネルギー蓄積器をラゲッジキャリアに固定することである。
【０００３】
欧州特許第２１３４５９２号明細書により、ダウンチューブに電池を固定することが公知である。この場合、ダウンチューブは安全性の理由から荷重を支持する複数空間を備えるチューブとして構成されており、チューブは電池を収容するための切欠きを有する。この場合、複数空間を備えるチューブの少なくとも１つの空間に側方が開放された切欠きが延在しており、少なくとも１つの別の空間は実質的に完全である。
【０００４】
さらに欧州特許第１９８２９０９号明細書により、自転車フレームのいずれか１つのチューブ内に、係止フレームを挿入することができる部分的に側方で開放された切欠きを生成するために側壁に関して深い切り込みを入れた上縁部が設けられている電池と自転車フレームとの組合せが公知である。この係止フレームは切欠き内に完全に挿入され、後から挿入される電池を完全に包囲することができる。
【０００５】
ドイツ連邦共和国特許出願公開第２０２０１３００８１８７号明細書により、自転車フレームに組み込まれたアキュムレータが公知である。この場合、保持もしくは接触は、フレーム内に独立して配置されたインターフェイスを介して行われる。係止は、縦長のアキュムレータのアンダカットを介していずれか１つの接点に向かい合った短い側で行われ、アキュムレータを部分的にフレーム内に押し込むことができる。
【０００６】
ドイツ連邦共和国実用新案第２０２０１４００９８３２号により、アキュムレータを収容、保持もしくは係止するために設けられた保持要素が公知である。さらに、保持要素を含むチューブ要素が記載されている。
【先行技術文献】
【特許文献】
【０００７】
【特許文献１】欧州特許第２１３４５９２号明細書
【特許文献２】欧州特許第１９８２９０９号明細書
【特許文献３】ドイツ連邦共和国特許出願公開第２０２０１３００８１８７号明細書
【発明の概要】
【０００８】
本発明によって、アキュムレータに固定されるように構成されているか、又はアキュムレータの一部であり、保持装置からの安全な取外しを確保する保持要素が請求される。さらに、保持要素に整列された保持装置、及び保持要素と保持装置とからなる保持機構が請求される。このような保持装置は、特に電動自転車で使用するために構成されているので、さらに自転車フレームも請求され、自転車フレームのために使用されるいずれか１つのチューブの内部にこの保持装置が固定されている。
【０００９】
本発明による保持要素は、（自転車）アキュムレータに固定するために、固定手段を備える第１の側を有する。この固定手段は、この場合、差込み手段及び／又はねじ込み手段として構成されていてもよい。第１の側に向かい合った第２の側には、保持要素は遮断要素及び第１ストッパを備え、第１ストッパ内には外部のロックが係合することができる。この外部のロックは、保持要素を収容するように構成された保持装置の一部である。この場合、保持要素のロック要素は、第２の側から延びており、保持装置内に設けられた第２ストッパに係合するために用いられるフック及び／又は遮断ロックを備える。さらにロック要素は第２の側に対して垂直方向に、すなわち水平方向に向けられたばね作用を有する。
【００１０】
このような保持要素もしくはこのような保持要素を備えるアキュムレータの構成によって、保持装置内に保持要素もしくはアキュムレータを固定することができ、互いに無関係に配置された２つのストッパもしくは係合手段が保持装置からの取外しを防止する。
【００１１】
遮断要素は、好ましくは第２の側の縁部で保持要素に取り付けられており、第２の側の中央に向かって板ばねとして構成されている。代替的には、遮断要素は、締め付けられた状態で第２の側から離間して遮断要素を保持する第１ばね要素を備えていてもよい。この場合、このような締付け力を生成するために設けられた第１ばね要素が、保持要素の第２の側の縁部に配置されているように遮断要素を配置してもよい。この場合、遮断要素は、随意に第２の側の少なくとも半分を超えて延在し、回転可能に支持されていてもよい。
【００１２】
アキュムレータの少なくとも一方の側部を面状に覆うように、保持要素は、保持要素が固定されているアキュムレータの側部の形状に適合されていてもよい。この場合、固定のためには、特に中央に配置され、アキュムレータの固定側に対応する開口に差し込むことができる凸部もしくは凹部が設けられていてもよい。当然ながら、２つ以上の凸部及び／又は凹部が保持要素の表面に分配して設けられていてもよい。代替的又は付加的に、保持要素はアキュムレータにねじ込むことができるように構成されていてもよい。このためには、少なくとも部分的に周回する１つ以上のねじ山が設けられている。この場合、当然ながらねじ山が凸部及び／又は凹部に設けられているように構成されていてもよい。
【００１３】
本発明により保持要素及び／又は保持装置が設けられたアキュムレータに構造的に整列された保持要素は、ロックされた位置及びロック解除された位置に移動させることができる変位可能なロックを備えている。このために、ロックは、保持要素の第２の側に対して水平方向の運動成分を備える少なくとも１つのロック部分要素を備えている。この場合、ロックがロックされた位置では、ロック部分要素は、保持装置内に挿入された保持要素の第１ストッパに係合するように変位される。この場合、ロック要素は第１ストッパに機械的に接触することができ、ストッパは鉛直方向に下方へ力を生成し、これにより保持装置及び／又は保持装置に結合されたアキュムレータを下方へ押圧する。しかしながら、ロック部分要素が第１ストッパに係合することにより、保持要素及び／又は保持要素に結合されたアキュムレータが上方へ移動できることが防止され、これにより、少なくとも鉛直方向にロック状態が生じる。これに対してロックがロック解除された位置では、保持要素もしくは保持要素に結合されたアキュムレータの鉛直方向、すなわち上方への移動が少なくとも部分的に許可される。さらに保持要素は第２ストッパを備え、第２ストッパには、少なくとも遮断要素がばね作用に抗して押し戻されなかった場合には保持要素の遮断要素が鉛直方向に当接することができる。好ましくは、保持装置の第２ストッパは、保持装置に挿入された保持要素のロック要素から鉛直方向に離間して設けられている。
【００１４】
したがって、この保持装置の構成によって、第２ストッパがロック解除後の取外しを防止することにより、保持要素もしくは保持要素に結合されたアキュムレータの２段階式の保持が達成される。
【００１５】
本発明の別の実施形態では、保持装置のロックは、保持要素及び／又は保持要素に結合されたアキュムレータを少なくとも保持要素の範囲で鉛直方向に持ち上げるように構成されている。これは、例えばロックがロック解除時に保持要素を押し上げるように保持要素に結合されていることによって行うことができる。代替的には、保持装置が第２ばね要素を備え、第２ばね要素が、保持要素及び／又は保持要素に結合されたアキュムレータの挿入によってロックされた位置で圧縮されるように構成されていてもよい。ロックが解除された場合には、締め付けられた第２ばね要素は、保持要素もしくは保持要素に結合されたアキュムレータの上方への、すなわち鉛直方向の移動をもたらす。アキュムレータの少なくとも一端を持ち上げるために、第２ばね要素が保持要素の下部に配置されているように構成されていてもよい。当然ながら、ばね要素が電気制御可能であり、締付け及び弛緩を制御することができるように構成されていてもよい。保持要素が、下方へ車道に向かってアキュムレータのための収容部を備えるトップチューブ又はダウンチューブ内で使用される場合には、ばね要素はなくてもよい。なぜなら、この場合には旋回力が第２係止位置までの移動をもたらすからである。
【００１６】
少なくとも保持装置に向いたアキュムレータの側で保持要素もしくは保持要素に結合されたアキュムレータを持ち上げることにより、鉛直方向の関連する行程を適切に選択することにより、遮断要素が少なくとも部分的に保持装置の上縁部から突出することが可能となることが望ましい。トップチューブ又はダウンチューブでアキュムレータの挿入及び取外しを行う場合には、保持装置もしくはトップチューブの上縁部も下方へ車道に向いていてもよい。この行程によって、遮断要素を圧縮することができるように遮断要素が外部からアクセス可能であることが望ましい。ばね作用に抗して遮断要素を圧縮することにより、遮断要素に設けられたフックを保持装置の第２ストッパから離間することができ、これにより、保持要素もしくは保持要素に結合されたアキュムレータが保持装置から解放される。これにより、アキュムレータの取外しが可能である。
【００１７】
本発明の構成は、保持装置の収容部における保持要素もしくは保持要素に結合されたアキュムレータの検出に関する。このために、特に保持装置の下部に、保持要素もしくはアキュムレータの機械的な載置を検出する電気接点が設けられている。したがって、この電気接点によって、アキュムレータが保持装置の収容部に、特にロックされた位置に正確に位置しているかどうかを判定することができる。代替的には、ロックがロックされた位置に位置しているかどうかを電気接点によって検出することもできる。
【００１８】
保持装置のロックは、ロック部分要素を上方から保持要素の第１ストッパに押し付けることができるように、回動可能に使用されていてもよい。さらにロックは錠の一部であってもよい。
【００１９】
上述のように、保持装置は、自転車フレームのチューブの内部に取り付けられるように構成されていてもよい。このために、保持装置が対応する固定部を備え、この固定部によって、例えば他のアキュムレータを他の保持システムによって保持するために交換が可能である場合には有利である。付属のアキュムレータが側方又は下方から自転車フレームのチューブ内に挿入されることが望ましい場合には、上述の２段階式の保持及び取外しシステムは特に有利である。これにより、アキュムレータは第２ストッパまでしか移動せず、さらなる遮断解除プロセスが不可欠であることにより、錠によるロック解除時にアキュムレータが脱落することが防止される。
【００２０】
保持要素及び保持装置は、上部からの挿入する場合のガイドが得られるように、それぞれ面取りされて構成されていてもよい。
【００２１】
本発明による装置の一般的な用途は、例えば自転車のトップチューブ及びダウンチューブである。このために、それぞれのチューブ内には、チューブの表面の切込みにより収容部が設けられており、この収容部にアキュムレータを少なくとも部分的に格納することができる。この場合、保持装置は、収容部の内部で一端に取り付けられている。
【００２２】
上記実施形態の「上方」及び「下方」という表現は、チューブの底部に対するアキュムレータの収容もしくは取外しに関係していることを指摘しておく。したがって、本発明はトップチューブ又はダウンチューブにおいて、チューブの収容部からアキュムレータを、車道に対して自転車フレームの一般的な使用に関連して下方へ取り外すために使用することができる。
【００２３】
さらなる利点が以下の実施例の説明もしくは従属請求項に記載されている。
【図面の簡単な説明】
【００２４】
【図１】図１ａ及び図１ｂは、本発明の第１保持要素の可能な実施例を示す図である。
【図２】図２ａ及び図２ｂは、保持装置の動作を説明する図である。
【図３】保持装置の接触装置の可能な構成を示す図である。
【発明を実施するための形態】
【００２５】
特に電動自転車などの電動二輪車の運転時には、エネルギー蓄積器を格納することが不可欠な重要事項である。したがって、アキュムレータ又は電池などのエネルギー蓄積器をラゲッジキャリアに格納することが知られている。しかしながら、大多数の電動自転車では、エネルギー蓄積器は三角フレーム内又はシートチューブの後方に取り付けられる。しかしながら、そのような取付けは、三角フレーム内で他の用途、例えば錠、ドリンクボトルホルダ及び／又は工具の容器のために利用可能なスタックスペースを減じてしまう。したがって、エネルギー蓄積器をフレーム、例えばダウンチューブ又はトップチューブに直接に組み込む努力がなされている。
【００２６】
自転車フレームに組み込まれたエネルギー蓄積器を使用する場合には、例えばドイツ連邦共和国実用新案第２０２０１４００９７３２に記載されているような適切な保持システムを準備することが不可欠である。本発明の保持システムによってエネルギー蓄積器の２段階式解除を説明する。この保持システムでは、キーによるロック解除によっては保持システムもしくは自転車フレームからのエネルギー蓄積器の最終的な取外しはまだ可能ではない。第２遮断機構の操作によってようやく取外しが可能になる。この２段階式の取外しによって、ロック機構によって既にロックが解除された場合にエネルギー蓄積器が意図に反して自転車フレームの収容部から脱落しないようにすることが可能である。したがって、例えば、錠を解除した場合にアキュムレータがすぐに落下する危険性なしに、アキュムレータを下側からトップチューブに格納することができる。
【００２７】
図１ａは、本発明による保持要素１０５もしくは保持要素１０５に結合されたアキュムレータ１００並びに保持要素１０５に付属の保持装置１１０のための第１実施例を示す。この場合、保持要素１０５は、アキュムレータ１００への固定を可能にする少なくとも１つの固定手段１９０もしくは１９５を第１の側に備える。この場合、例えば、アキュムレータ１００の（縦方向）一方側の対応する凹部に差し込むことができる少なくとも１つの凸部１９０であってもよい。当然ながら、対応する突起を差し込むことができる少なくとも１つの凹部が設けられていてもよい。代替的又は付加的に、例えば凹部内又は突起に沿って少なくとも部分的に周回するねじ山１９５が設けられていてもよい。
【００２８】
保持装置１１０は、少なくとも２つの異なる位置をとることができるロック１３０もしく１４０を備える。ロックされた位置１３０では、ロックに設けられたフックが第１の（固定）側とは反対側に設けられた第２の側に位置する保持要素１０５の第１のストッパ１７０に押し付けられる。ロックのこのロックされた位置１３０により、保持要素１０５もしくは保持要素１０５に結合されたアキュムレータ１００の動きの自由度は、鉛直方向２０に上方１０に向かって制限される。この場合に、ロック１３０は、ロック１３０に結合された錠１２０の操作に依存して回転動作を行うように構成されており、フックは第１のストッパ１７０に下方への力を加え、保持要素１０５もしくは保持要素１０５に結合されたアキュムレータ１００を保持部において第１係止位置に保持する。ロックが解除された場合にはロックは位置１４０に位置しており、フックはもはや第１のストッパ１７０に当接しておらず、保持要素１０５もしくは保持要素１０５に結合されたアキュムレータ１００の少なくとも部分的な移動を鉛直方向に上方１０に許可する。しかしながら、保持要素１０５に配置されており、第２の側に向いていない遮断要素１５０のフック、及び保持装置１１０の第２ストッパ１８０と協働して、この鉛直方向に上方１０への移動は特に第２の係止位置で制限される。この場合、鉛直方向に上方への動きの大きさは、遮断要素１５０のフックと第２ストッパ１８０との間の間隔によって設定される。この配置によって設定された行程は同様に、保持要素１０５もしくはアキュムレータ１００が保持装置もしくは（フレーム）チューブ２００の上縁部から持ち上げられる移動の大きさを表す。遮断要素１５０は、保持要素１０５が持ち上げられる場合に少なくとも外部からアクセス可能となるように持ち上げられるように配置されている。次にこのようなアクセス性を利用して、遮断要素１５０に結合されたフックがもはや第２ストッパ１８０に当接しないように、遮断要素１５０に設けられたばねを押し戻すことができる。このように特に水平方向に遮断要素１５０を押し戻すことにより、保持要素１５０もしくは保持要素１５０に結合されたアキュムレータ１００を取り外すことができる。
【００２９】
このように本発明による保持要素１０５を備えるアキュムレータ１００が保持装置１１０から２段階式に取り外されることにより、錠１２０によるロック解除後に収容部２１０からアキュムレータ１００が意図せずに収容部２１０から脱落することが防止される。このことは、本発明による装置が、頭越しに、例えば、車道に対して下方からのアクセスによって自転車のフレームのトップチューブ又はダウンチューブ内で使用される場合には、特に有利である。
【００３０】
遮断要素１５０は、板ばねとしてばね作用を実現するように構成されていてもよい。保持装置１１０もしくはフレームチューブの表面を超えて保持要素１０５が外側へ突出した場合に板ばねへのアクセスを得るために、遮断要素１５０は、外側からのアクセスによって板ばねが押し戻されるように保持要素１０５の縁部に配置されている必要がある。
【００３１】
あるいは、遮断要素１５０にばね要素１６０が割り当てられていてもよい。ばね要素１６０は保持要素１０５の縁部に配置されており、保持要素１０５を持ち上げることによってアクセスのために解放される。これにより、遮断要素１５０全体を水平方向３０に圧縮することができ、第２ストッパ１８０における対応するフックの機械的なストッパが克服される。
【００３２】
自転車フレームのチューブ２００の内部に保持装置１１０を固定するために、特殊な固定部１１５が設けられている。この固定部は、着脱可能又は着脱不能に設けられていてもよい。着脱可能な実施形態は、別のアキュムレータシステムのために設けられた保持要素を使用でき、この場合にこの別の保持要素に構造的に整列された保持装置を交換することができるという利点を有する。固定は、いずれの場合にもチューブ２００の外部及び内部の両方から行うことができる。当然ながら、両方の固定方式を組み合わせることも可能である。
【００３３】
図１ｂに示す第２実施例は遮断要素１５５の別の実施可能性を示す。第１実施例の場合と同様に、錠１２０と結合されており、少なくともロックされた位置及びロック解除された位置をとることできるがロックが設けられている。しかしながら、実施例を明確にするために、ロックは図１ｂには示されていない。この実施例では、遮断要素１５５は回動可能に構成されており、この場合に回転中心は保持要素１０５の下側の一方の半分に設けられており、ばね要素１６５は上側の他方の半分に設けられている。このばね要素１６５によって、遮断要素１５５はアキュムレータ１００から押し離され、遮断要素１５５のフックはアキュムレータ１００、及び保持要素１０５から、特に水平方向に引き離される。遮断要素１５５のフック、及び特に鉛直方向にフックの上方に位置する保持装置１１０のストッパ１８５は行程２９０を備え、この行程２９０の分だけ、保持要素１０５もしくは保持要素１０５に結合されたアキュムレータ１００は、遮断要素１５５の弛緩状態でさらなる移動を防止される前に、鉛直方向に上方１０へ移動することができる。この場合、この行程２９０は、ばね要素１６５によって押し外された遮断要素１５５にアクセスすることが可能となるように、保持要素１０５、特に保持要素１０５に結合されたアキュムレータ１００を上方１０へ持ち上げるために十分である。遮断要素１５５もしくはばね要素１６５を押し戻すことによって、フックがストッパ１８５を通過し、アキュムレータを取外しのために完全に解放するまで、フックをアキュムレータ１００の方向へ押圧することができる。
【００３４】
随意の付加的な構成では、チューブ２００の収容部２１０にアキュムレータ１００が挿入されたことが電気接点２３０によって点検されるようになっていてもよい。このためには、アキュムレータがどの程度までチューブ２００の底部、又は保持装置１２０に割り当てられた支持部に載置しているかが点検される。この第１の係止位置ではアキュムレータ１００は係止されており、運転のために使用可能である。これに対して、例えば遮断要素のフックが第２ストッパに当接することによってアキュムレータ１００が第２の係止位置に位置していることが確認された場合には、電気接触に依存してユーザに警告を行うことができる。この場合、第１係止位置は、アキュムレータがセンサ２３０に機械的に載置されることによって検出することができる。この場合、保持装置１２０の下部の第１及び第２係止位置の間の最大の行程の範囲に付属のセンサを配置することが有利である。
【００３５】
図２ａ及び図２ｂは、本発明の別の実施例を概略的に示す。この実施例では、アキュムレータ１００が自転車フレームのチューブ２００の内部に収容部２１０として形成された凹部に格納されていてもよい。この場合、アキュムレータ１００の表面又は表面に固定されたカバーがチューブ２００の表面で実質的に終了している。ロック１３０は、既に説明した形状の他に、錠１２０及び錠１２０に結合されたキー１２５によって往復運動させることができる水平方向に変位可能なロック要素として構成されていてもよい。アキュムレータ１００に固定された保持要素１０５は遮断要素１５０を備え、遮断要素１５０は、個別操作なしに第２ストッパ１８０に当接し、これにより、収容部２１０からのアキュムレータ１００の解放を防止する。アキュムレータ１００の解放は、遮断要素１５０又は遮断要素１５０にこのように結合されている保持要素１０５の一部を押し戻した場合にはじめて可能となる。
【００３６】
アキュムレータ１００の接触のために、接触装置２２０は、チューブ２００内に保持装置１１０に向かい合って収容部２１０の端部に配置されてもよい。これは、とりわけ、ロック１３０又は遮断要素１５０もしくは１５５によるクランプ力に対する対向要素としての役割を果たす。さらに、第２保持要素２２０は、例えば図３に示すように、収容部２１０におけるアキュムレータ１００を保持し、アキュムレータの電気接触を引き受けるというさらなる特徴を有していいてもよい。この場合、第２保持要素２２０には、例えばプラグ／ブシュの形式の対応する接触面２７５を備える対応する接触部２６０が設けられており、接触面２７５は、電気接触を形成するためにアキュムレータ１００の対応する接触面２７０、例えばブシュ／プラグに結合されていてもよい。アキュムレータ１００の接触面２７０を保護するために、接触面２７０は一般に凹部２８０に格納されている。付加的又は随意に、第２保持要素２２０は、アキュムレータ１００の対応する切欠き２５０内に嵌合する成形部２４０を備えていてもよい。このような成形部により、例えば収容部２１０に挿入した場合にアキュムレータ１００がガイドされ、回転支承された移動を達成することができる。このようなガイドにより接触面を共にガイドし、ひいては電気的な接続を適切に達成することができる。
【００３７】
上述のように、収容部２１０へのアキュムレータの挿入を検出する１つ以上の電気接点２３０が設けられていてもよい。このために、少なくとも１つの電気接点２３０が保持装置１１０の範囲内に設けられている。しかしながら、接触装置２２０の領域で収容部２１０の他端に配置された別の電気接点２３０が設けられていてもよい。この場合、電気接点２３０は、保持要素、保持装置及び／又は接触装置とは無関係に、収容部の底部に取り付けられていてもよい。代替的には、アキュムレータ１００を載置し、少なくとも１つの電気接点２３０を格納する共通のキャリアによって保持装置１１０と接触装置２２０とを接続することも可能である。
【符号の説明】
【００３８】
１０  収容部に対して上方、鉛直方向
２０  鉛直方向
３０  水平方向
１００  アキュムレータ
１０５  保持要素
１１０  保持装置
１１５  保持装置の固定部
１２０  錠
１２５  キー
１３０  ロックされた状態のロック
１４０  ロック解除された状態のロック
１５０  遮断要素
１５５  遮断要素（代替）
１６０  ばね要素（随意）
１６５  ばね要素
１７０  アキュムレータの第１のストッパ
１８０  保持要素の第２ストッパ
１８５  代替的な実施形態の第２ストッパ
１９０  固定手段
１９５  別の固定手段（ねじ山）
２００  自転車フレームのチューブ
２１０  チューブの収容部
２２０  接触装置
２３０  電気接点
２４０  ピン
２５０  アキュムレータの収容部
２６０  接続部材
２７０  アキュムレータの接触面／プラグ／ブシュ
２７５  第２保持要素の接触面／ブシュ／プラグ
２８０  アキュムレータの凹部
２９０  行程
【図１ａ】
2019530132.tif 000003
【図１ｂ】
2019530132.tif 000004
【図２ａ】
2019530132.tif 000005
【図２ｂ】
2019530132.tif 000006
【図３】
2019530132.tif 000007
【国際調査報告】
2019530132.tif 000008
2019530132.tif 000009
2019530132.tif 000010
2019530132.tif 000011